(57)【要約】【課題】指圧体の位置がずれてしまうのを防止して、足裏指圧具によるマッサージ効果を向上させること。【解決手段】本考案では、履物（２）の内底部（３）に配置した指圧体（５）で足裏を刺激する足裏指圧具（１）において、指圧体（５）をカバー（４）の裏面に着脱自在に装着するとともに、カバー（４）の裏面を履物（２）の内底部（３）に着脱自在に固定することにした。特に、前記カバー（４）は、基端部を履物（２）の踵部に沿う形状とするとともに、先端部を切欠して履物（２）の内底部（３）の爪先側を露出させることにした。また、前記指圧体（５）は、基端部を切欠して履物（２）の内底部（３）の踵側にカバー（４）の裏面を直接固定することにした。【選択図】図１
0003192477.tif 000002
【実用新案登録請求の範囲】
【請求項１】
履物の内底部に配置した指圧体で足裏を刺激する足裏指圧具において、
指圧体をカバーの裏面に着脱自在に装着するとともに、カバーの裏面を履物の内底部に着脱自在に固定したことを特徴とする足裏指圧具。
【請求項２】
前記カバーは、基端部を履物の踵部に沿う形状とするとともに、先端部を切欠して履物の内底部の爪先側を露出させることを特徴とする請求項１に記載の足裏指圧具。
【請求項３】
前記指圧体は、基端部を切欠して履物の内底部の踵側にカバーの裏面を直接固定したことを特徴とする請求項１又は請求項２に記載の足裏指圧具。
【考案の詳細な説明】
【技術分野】
【０００１】
本考案は、履物の内底部に配置した指圧体で足裏を刺激する足裏指圧具に関するものである。
【背景技術】
【０００２】
足の裏側（足裏）には多種のつぼが存在しており、足裏に存在する各種のつぼを突起等で押圧して刺激することでマッサージ効果が得られることが広く知られている。
【０００３】
この足裏のマッサージは、専門者に行ってもらうことも、また、自ら行うことも可能であるが、容易かつ継続して足裏をマッサージするために足裏指圧具を用いて歩行中に行うこともできる。
【０００４】
この足裏指圧具は、足裏のつぼを突起等で刺激して自重で足裏の指圧を行うように構成しており、具体的には、履物の内底部となる靴の中敷きに突起等の指圧体を着脱自在に取付けた構造のものが開発されている（たとえば、特許文献１参照。）。
【先行技術文献】
【特許文献】
【０００５】
【特許文献１】特開２０１３−１０６７１０号公報
【考案の概要】
【考案が解決しようとする課題】
【０００６】
上記の足裏指圧具では、履物の内底部に指圧体を着脱自在に取付けているために、使用者の体格や刺激するつぼなどに応じて指圧体の位置を容易に変更することができる利点がある。
【０００７】
ところが、上記足裏指圧具では、使用中（歩行時や走行時など）に使用者の体重が指圧体に部分的にかかることで、指圧体の位置がずれてしまうおそれがあった。
【０００８】
特に、女性用の履物などのように内底部の爪先側よりも踵側の方が高くなって履物の内底部が前低後高状に傾斜している場合に、使用中に指圧体が爪先側にずれてしまうおそれがあった。
【課題を解決するための手段】
【０００９】
そこで、請求項１に係る本考案では、履物の内底部に配置した指圧体で足裏を刺激する足裏指圧具において、指圧体をカバーの裏面に着脱自在に装着するとともに、カバーの裏面を履物の内底部に着脱自在に固定することにした。
【００１０】
また、請求項２に係る本考案では、前記請求項１に係る本考案において、前記カバーは、基端部を履物の踵部に沿う形状とするとともに、先端部を切欠して履物の内底部の爪先側を露出させることにした。
【００１１】
また、請求項３に係る本考案では、前記請求項１又は請求項２に係る本考案において、前記指圧体は、基端部を切欠して履物の内底部の踵側にカバーの裏面を直接固定することにした。
【考案の効果】
【００１２】
そして、本考案では、以下に記載する効果を奏する。
【００１３】
すなわち、本考案では、履物の内底部に配置した指圧体で足裏を刺激する足裏指圧具において、指圧体をカバーの裏面に着脱自在に装着するとともに、カバーの裏面を履物の内底部に着脱自在に固定することにしているために、使用中に使用者の体重が指圧体に部分的にかかることなくカバーに全体的にかかることになり、指圧体の位置がずれてしまうのを防止することができ、足裏指圧具によるマッサージ効果を向上させることができる。
【００１４】
特に、カバーの基端部を履物の踵部に沿う形状とするとともに、先端部を切欠して履物の内底部の爪先側を露出させることにした場合には、使用者の踵でカバーを履物の踵部に良好に押圧することができるので、カバーの位置がずれてしまうのを防止することができ、それに伴って指圧体の位置がずれてしまうのを確実に防止することができる。
【００１５】
また、指圧体の基端部を切欠して履物の内底部の踵側にカバーの裏面を直接固定することにした場合にも、使用者の踵でカバーを履物の踵部に良好に押圧することができるので、カバーの位置がずれてしまうのを防止することができ、それに伴って指圧体の位置がずれてしまうのを確実に防止することができる。
【図面の簡単な説明】
【００１６】
【図１】本考案に係る足裏指圧具の使用状態を示す平面図（ａ）、同左側面図（ｂ）。
【図２】本考案に係る足裏指圧具（裏側）を示す拡大平面図（ａ）、同左側面図（ｂ）。
【考案を実施するための形態】
【００１７】
以下に、本考案に係る足裏指圧具の具体的な構成について図面を参照しながら説明する。
【００１８】
図１及び図２に示すように、足裏指圧具１は、履物２の内底部３の表面（上面）に着脱自在に装着される。
【００１９】
この足裏指圧具１は、シート状のカバー４の裏面に弾性素材からなる指圧体５を着脱自在（交換や位置変更可能）に取付けるとともに、カバー４の裏面を履物２の内底部３の表面に両面テープ等の粘着体６で着脱自在に固定する。
【００２０】
なお、指圧体５は、上面に両面テープ等の粘着体を設けてカバー４の裏面に着脱自在に取付けられるようになっている。カバー４に取付ける指圧体５は、１個でもよく、複数個でもよく、また、複数個を上下に積層してもよい。指圧体５の位置や厚みなどは刺激する足裏のつぼに応じて適宜選択することができる。また、カバー４の粘着体６は、複数ヶ所設けてもよく、１ヶ所だけ設けてもよいが、カバー４の基端側（踵側）と先端側（爪先側）にそれぞれ設けるのが好ましい。
【００２１】
そして、足裏指圧具１は、指圧体５によって履物２の内底部３に適度の突起（段差）を形成することができ、使用者が履物２を履いて歩行等することで、指圧体５が使用者の足裏を押圧して指圧することができる。
【００２２】
この足裏指圧具１では、指圧体５を履物２の内底部３の表面に直接取付けてはおらず、指圧体５を履物２の内底部３の表面にカバー４を介して取付けている。そのため、足裏指圧具１では、使用時に使用者の体重による荷重が指圧体５に直接的にかかることがなく、指圧体５よりも面積（平面視での面積であって足裏と接触する面積）が広いカバー４に荷重が全体的にかかることになる。これにより、カバー４で荷重が分散されるために、足裏指圧具１（指圧体５）の位置がずれるのを防止することができる。
【００２３】
また、足裏指圧具１では、カバー４の基端部（踵部）の形状を履物２の内底部３の踵部に沿うように円弧形状にしている。そのため、足裏指圧具１を履物２の内底部３に装着する際に、カバー４の基端部を履物２の内底部３の踵部に沿わせて取り付ければよく、カバー４の基端部が位置決めとして機能し、足裏指圧具１を履物２の内底部３に容易に装着することができる。
【００２４】
一方、足裏指圧具１では、カバー４の先端部（爪先部）を履物２の内底部３の表面よりも小さくなるように切欠した形状にしている。そのため、足裏指圧具１では、使用時に使用者の爪先がカバー４と接触せずに履物２の内底部３に直接載置されることになる。これにより、使用者の踵からカバー４の基端部に荷重がかかるとともに、使用者の爪先からカバー４に荷重がかかることが無くなり、足裏指圧具１（カバー４）が爪先側にずれるのを防止することができる。
【００２５】
この場合に、指圧体５の基端部も切欠して履物２の内底部３の踵にカバー４の裏面を直接固定することで足裏指圧具１のずれをより一層防止することができる。
【００２６】
以上に説明したように、上記足裏指圧具１は、履物２の内底部３に配置した指圧体５で足裏を刺激するものであり、指圧体５をカバー４の裏面に着脱自在に装着するとともに、カバー４の裏面を履物２の内底部３に着脱自在に固定する構成となっている。
【００２７】
そのため、上記構成の足裏指圧具１では、使用中に使用者の体重が指圧体５に部分的にかかることなくカバー４に全体的にかかることになり、指圧体５の位置がずれてしまうのを防止することができ、足裏指圧具１によるマッサージ効果を向上させることができる。
【００２８】
また、上記足裏指圧具１は、カバー４の基端部を履物２の踵部に沿う形状とするとともに、先端部を切欠して履物２の内底部３の爪先側を露出させた構成となっている。
【００２９】
そのため、上記構成の足裏指圧具１では、使用者の踵でカバー４を履物２の踵部に良好に押圧することができるので、カバー４の位置がずれてしまうのを防止することができ、それに伴って指圧体５の位置がずれてしまうのを確実に防止することができる。
【００３０】
さらに、上記足裏指圧具１は、指圧体５の基端部を切欠して履物２の内底部３の踵側にカバー４の裏面を直接固定する構成となっている。
【００３１】
そのため、上記構成の足裏指圧具１では、使用者の踵でカバー４を履物２の踵部に良好に押圧することができるので、これによってもカバー４の位置がずれてしまうのを防止することができ、それに伴って指圧体５の位置がずれてしまうのを確実に防止することができる。
【符号の説明】
【００３２】
１  足裏指圧具                          ２  履物
３  内底部                              ４  カバー
５  指圧体                              ６  粘着体
【図１】
0003192477.tif 000003
【図２】
0003192477.tif 000004